【事件の表示】
　特願２０１６−１７１０３３号「遊技機」拒絶査定不服審判事件〔平成２８年１２月２８日出願公開、特開２０１６−２２１３４１号〕について、次のとおり審決する。
【結　論】
　本件審判の請求は、成り立たない。
【理　由】
１　手続の経緯
　本願は、平成２５年７月２日に出願した特願２０１３−１３８８５０号の一部を平成２８年９月１日に新たな特許出願（特願２０１６−１７１０３３号）としたものであって、平成２８年９月１４日に手続補正書が提出され、平成２９年７月１１日付けで拒絶の理由が通知され、平成２９年９月１２日に意見書及び手続補正書が提出されたところ、平成３０年２月２０日付け（発送日：平成３０年２月２７日）で拒絶査定がなされ、それに対して、平成３０年５月２４日に拒絶査定不服審判の請求がなされると同時に手続補正がなされ、これに対し、当審において、平成３１年１月１５日付けで拒絶の理由が通知され、平成３１年３月１５日に意見書及び手続補正書が提出されたものである。
２　本願発明について
　本願の請求項１に係る発明（以下、「本願発明」という。）は、平成３１年３月１５日に提出された手続補正書により補正された特許請求の範囲の請求項１に記載された、次のとおりのものと認める（Ａ〜Ｎは、本願発明を分説するため当審で付した。）。
「Ａ　第１利益状態を発生させるか否かの第１抽選を第１図柄始動条件が成立することに基づいて行う第１抽選手段と、
Ｂ　前記第１抽選の結果に基づいて第１図柄を変動表示する第１図柄表示手段と、
Ｃ　前記第１抽選で当選することに基づいて前記第１図柄表示手段の変動後の停止図柄が第１特定態様となった場合に前記第１利益状態を発生させる第１利益状態発生手段と、
Ｄ　第２利益状態を発生させるか否かの第２抽選を第２図柄始動条件が成立することに基づいて行う第２抽選手段と、
Ｅ　前記第２抽選の結果に基づいて第２図柄を変動表示する第２図柄表示手段と、
Ｆ　前記第２抽選で当選することに基づいて前記第２図柄表示手段の変動後の停止図柄が第２特定態様となった場合に前記第２利益状態を発生させる第２利益状態発生手段と
Ｇ　を備えた遊技機において、
Ｈ　所定の予告演出態様を表示する予告演出表示手段を備え、
Ｉ　前記予告演出表示手段による予告演出は、前記第１抽選の結果に基づく演出であって前記第１抽選の結果に基づくものである旨を報知することなく実行する第１予告演出と、前記第２抽選の結果に基づく演出であって前記第２抽選の結果に基づくものである旨を報知することなく実行する第２予告演出とを含み、
Ｊ　前記予告演出表示手段は、前記第１予告演出と前記第２予告演出とを排他的に実行可能であり、
Ｋ　前記第１予告演出の場合の前記予告演出態様は複数種類の第１予告演出態様から選択し、
Ｌ　前記第２予告演出の場合の前記予告演出態様は複数種類の第２予告演出態様から選択し、
Ｍ　前記複数種類の第１予告演出態様のうちの特定第１予告演出態様と、前記複数種類の第２予告演出態様のうちの特定第２予告演出態様とが、最終的に表示される態様を含めて共通である
Ｎ　ことを特徴とする遊技機。」
３　当審における拒絶の理由
　当審における平成３１年１月１５日付けの拒絶理由の概要は次のとおりである。
「１．（新規性）この出願の下記の請求項に係る発明は、その出願前日本国内又は外国において、頒布された下記の刊行物に記載された発明又は電気通信回線を通じて公衆に利用可能となった発明であるから、特許法第２９条第１項第３号に該当し、特許を受けることができない。 
 ２．（進歩性）この出願の下記の請求項に係る発明は、その出願前日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　 
 　　　　　　記　　　（引用文献等については引用文献等一覧参照） 
  
●理由１（新規性）、理由２（進歩性）について 
・請求項　１ 
・引用例　１ 
　　　　　　　　　　　　　＜引用文献等一覧＞
１．特開２０１３−０８１５４８号公報（新たに引用された文献）」
４　引用文献１について
　当審における平成３１年１月１５日付けの拒絶理由において引用された、本願の出願前に頒布された刊行物である特開２０１３−０８１５４８号公報（以下「引用文献１」という。）には、図面と共に次の事項が記載されている（下線は当審にて付した。）。
（ア）「【００１７】
　以下、本発明の実施の形態を、図面を参照して説明する。まず、遊技機の一例である
パチンコ遊技機１
（イ）「【００３１】
　第１特別図柄または第２特別図柄の可変表示は、可変表示の実行条件である第１始動条件または第２始動条件が成立（例えば、遊技球が第１始動入賞口１３または第２始動入賞口１４を通過（入賞を含む）したこと）した後、可変表示の開始条件（例えば、保留記憶数が０でない場合であって、第１特別図柄および第２特別図柄の可変表示が実行されていない状態であり、かつ、大当り遊技が実行されていない状態）が成立したことにもとづいて開始され、
可変表示時間（変動時間）が経過すると表示結果（停止図柄）を導出表示する
（ウ）「【００４８】
　また、図１に示すように、可変入賞球装置１５の下方には、特別可変入賞球装置２０が設けられている。特別可変入賞球装置２０は開閉板を備え、
第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）
（エ）「【００５０】
　
演出表示装置９の表示画面には、普通図柄の表示結果を示唆するような演出や特別図柄の
変動パターンの種類を示唆するような演出が行われる演出エリア９Ｆ
（オ）「【００５２】
　なお、この実施の形態では、１５Ｒ通常大当りにもとづく大当り遊技中、２Ｒ確変大当りにもとづく大当り遊技中、１５Ｒ確変大当りにもとづく
大当り遊技中に、第１大入賞口が開放状態に制御される。また、小当り遊技状態中、
大当り遊技中に、第２大入賞口が開放状態に制御される
（カ）「【００５９】
　
遊技球がゲート３２を通過しゲートスイッチ３２ａで検出されると、普通図柄表示器１０の表示の可変表示が開始される
普通図柄表示器１０における
可変入賞球装置１５の状態は、普通図柄の停止図柄が当り図柄である場合に、遊技者にとって不利な状態から有利な状態（第２始動入賞口１４に遊技球が入賞可能な状態）に変化する
（キ）「【００６１】
　遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。
遊技球が第１始動入賞口１３に入り第１始動口スイッチ１３ａで検出されると
【００６２】
　
遊技球が第２始動入賞口１４に入り第２始動口スイッチ１４ａで検出されると
（ク）「【０１１６】
　図７は、あらかじめ用意された飾り図柄の変動パターンを示す説明図である。図７に示すように、この実施の形態では、
可変表示結果が「はずれ」であり飾り図柄の可変表示態様が「非リーチ」である場合に対応した変動パターンとして、
スーパーＰＡ３−１〜スーパーＰＡ３−２、スーパーＰＢ３−１〜スーパーＰＢ３−２の変動パターンが用意されている
・・・
【０１１８】
　また、図７に示すように、この実施の形態では、
特別図柄の可変表示結果が大当り図柄または小当り図柄になる場合に対応した変動パターンとして、
スーパーＰＡ３−３〜スーパーＰＡ３−４、スーパーＰＢ３−３〜スーパーＰＢ３−４
の変動パターンが用意されている
（ケ）「【０１２８】
　
ＣＰＵ５６は、
大当り判定用乱数値が
大当り判定値に一致すると、特別図柄に関して大当りにすることに決定する。
大当り判定用乱数値が
小当り判定値に一致すると、特別図柄に関して小当りにすることに決定する。
大当りにするか否か決定するということは、大当り遊技状態に移行させるか否か決定するということであるが、第１特別図柄表示器８ａまたは第２特別図柄表示器８ｂにおける停止図柄を大当り図柄にするか否か決定するということでもある。
小当りにするか否か決定するということは、小当り遊技状態に移行させるか否か決定するということであるが、第１特別図柄表示器８ａまたは第２特別図柄表示器８ｂにおける停止図柄を小当り図柄にするか否か決定するということでもある
（コ）「【０１８３】
　
普通図柄停止時処理
：ＣＰＵ５６は、
可変入賞球装置（普通電動役物）１５を開放状態にする
（サ）「【０１８９】
　
ＣＰＵ５６は、
普通図柄通常処理において、
普通図柄当り判定用乱数の値と
普通図柄当り決定テーブルとを用いて、当りとするか否か（普通図柄の停止図柄を当り図柄とするか否か）を決定する
（シ）「【０１９３】
　また、ＣＰＵ５６は、普通図柄プロセスフラグの値が普通図柄変動処理（ステップＳ４０２）に対応した値であるときに、ステップＳ３３の
普通図柄表示制御処理で普通図柄の可変表示（変動）を実行する
（ス）「【０２０４】
　変動パターン設定処理（ステップＳ３０１）：特別図柄プロセスフラグの値が１であるときに実行される。また、
変動パターンを決定し、その変動パターンにおける変動時間（可変表示時間：可変表示を開始してから表示結果を導出表示（停止表示）するまでの時間）を特別図柄の可変表示の変動時間とすることに決定する
（セ）「【０２３４】
　図２６および図２７は、特別図柄プロセス処理における特別図柄通常処理（ステップＳ３００）を示すフローチャートである。
特別図柄通常処理において、ＣＰＵ５６は
（ソ）「【０２４３】
　次いで、ＣＰＵ５６は、乱数バッファ領域からランダムＲ（大当り判定用乱数）を読み出し、大当りにするか否か決定する。すなわち、大当り判定用乱数の値が大当り判定テーブルに設定されている大当り判定値（図８参照）のいずれかに一致するか否か判定する（ステップＳ６１）。なお、
ＣＰＵ５６は、第１始動口スイッチ通過処理
や第２始動口スイッチ通過処理
で抽出し
格納した大当り判定用乱数を読み出し
（タ）「【０２５１】
　次いで、
ＣＰＵ５６は
大当り種別の決定結果に応じて、大当り図柄
を特別図柄の停止図柄に決定する
小当り図柄
を特別図柄の停止図柄に決定する
（チ）「【０２５４】
　図２８は、特別図柄プロセス処理における変動パターン設定処理（ステップＳ３０１）を示すフローチャートである。
変動パターン設定処理において、ＣＰＵ５６は、大当りフラグがセットされているか否か確認する
【０２５５】
　大当りフラグがセットされていない場合には、ＣＰＵ５６は、
小当りフラグがセットされているか否かを確認する
（ツ）「【０３２９】
　図４１に示す例では、
所定演出は、
報知用演出、結果報知演出の順に実行される
（テ）「【０３３５】
　この実施の形態では、
報知用演出は、演出エリア９Ｆにおいて図柄が変動するような演出である（図４２（Ｄ）参照）。その後、演出エリア９Ｆにおいて、可変入賞球装置１５が遊技球が進入しやすい状態に制御されることを示唆する画像９ｃが停止表示される（図４２（Ｅ）参照）。
なお、図４２（Ｅ），（Ｆ）に示すような表示制御がなされる期間が結果報知演出の期間に相当する。
（ト）「【０３４３】
　
報知用演出は演出エリア９Ｆにおいて図柄が変動するような演出であるが（図４４（Ｄ）参照）。その後、演出エリア９Ｆにおいて、スーパーリーチになることを示唆する画像（大当りの期待度が高いことを報知するための画像）９ｉが停止表示される（図４４（Ｅ）参照）。
なお、図４４（Ｅ），（Ｆ）に示すような表示制御がなされる期間が結果報知演出の期間に相当する。
（ナ）「【０３６３】
　演出制御用ＣＰＵ１０１は、ステップＳ７５９の処理において、所定演出決定用乱数（図３９参照）を抽出し、所定演出決定用乱数が所定演出を実行することに対応する判定値のいずれかと一致した場合に、所定演出を実行することに決定する。なお、
演出制御用ＣＰＵ１０１は、普通図柄変動開始指定（はずれ）コマンド受信フラグがセットされている場合には、所定演出決定テーブルにおける「普通図柄はずれ」に関する判定値を使用し、普通図柄変動開始指定（当り）コマンド受信フラグがセットされている場合には、所定演出決定テーブルにおける「普通図柄当り」に関する判定値を使用する
（ニ）「【０３８９】
　そして、
演出制御用ＣＰＵ１０１は、
所定演出決定テーブル（ここでは、「普通図柄はずれ」および「普通図柄当り」は除外される。）を使用する
【０３９０】
　演出制御用ＣＰＵ１０１は、ステップＳ８２６の処理において、所定演出決定用乱数（図３９参照）を抽出し、所定演出決定用乱数が所定演出を実行することに対応する判定値のいずれかと一致した場合に、所定演出を実行することに決定する。なお、
演出制御用ＣＰＵ１０１は、
飾り図柄の変動パターンがスーパーリーチの変動パターン（擬似連演出を伴わない）である場合、および、その他の場合の各々に応じて、所定演出を実行するか否か決定する
（ヌ）「【０４７４】
　（９）演出制御用マイクロコンピュータ１００が、
大当りの期待度が高いことを報知する所定演出（例えば、「報知内容」を図４４に例示されたような「激熱」にする。）
（ネ）【図４２】
（ノ）【図４４】
　上記【０３２９】には、「所定演出は、・・・報知用演出、結果報知演出の順に実行される」と記載され、上記【０３３５】には、「報知用演出は、演出エリア９Ｆにおいて図柄が変動するような演出である（図４２（Ｄ）参照）。その後、演出エリア９Ｆにおいて、可変入賞球装置１５が遊技球が進入しやすい状態に制御されることを示唆する画像９ｃが停止表示される（図４２（Ｅ）参照）。・・・なお、図４２（Ｅ），（Ｆ）に示すような表示制御がなされる期間が結果報知演出の期間に相当する」と記載され、上記【０３４３】には、「報知用演出は演出エリア９Ｆにおいて図柄が変動するような演出であるが（図４４（Ｄ）参照）。その後、演出エリア９Ｆにおいて、スーパーリーチになることを示唆する画像（大当りの期待度が高いことを報知するための画像）９ｉが停止表示される（図４４（Ｅ）参照）。・・・なお、図４４（Ｅ），（Ｆ）に示すような表示制御がなされる期間が結果報知演出の期間に相当する。」と記載されていることを参照すると、【図４２】、【図４４】には、
報知用演出として、演出エリア９Ｆにおいて図柄が変動するような演出が表示され（【図４２】（Ｄ）、【図４４】（Ｄ））、その後、飾り図柄の変動中である、結果報知演出の冒頭に（【図４２】（Ｅ）、【図４４】（Ｅ））、演出エリア９Ｆにおいて、可変入賞球装置１５が遊技球が進入しやすい状態に制御されることを示唆する画像９ｃ又はスーパーリーチになることを示唆する画像（大当りの期待度が高いことを報知するための画像）９ｉが停止表示される
　また、【図４２】、【図４４】には、
単数の演出エリア９Ｆが設けられる
　さらに、【図４４】（Ｅ）には、
演出エリア９Ｆに「激熱」の文字を表示する
（ハ）【図４８】
　【図４８】には、
「普通図柄はずれ」に対応する報知内容として「はずれ（×）」が表示される
「普通図柄当り」に対応する報知内容として「当り（○）」が表示される
「スーパーリーチ」に対応する報知内容として「期待度大」が表示される
「その他」に対応する報知内容として「はずれ（×）」が表示される
　上記（ア）〜（ヌ）の記載事項及び図示内容（ネ）〜（ハ）から、以下の事項が導かれる。なお、（ａ）〜（ｎ）は、本願発明の特定事項Ａ〜Ｎに対応した事項を示している。
（ａ）上記【００５９】には、「遊技球がゲート３２を通過しゲートスイッチ３２ａで検出されると、普通図柄表示器１０の表示の可変表示が開始される。・・・普通図柄の停止図柄が当り図柄である場合に、遊技者にとって不利な状態から有利な状態（第２始動入賞口１４に遊技球が入賞可能な状態）に変化する」と記載され、上記【０１８９】には、「ＣＰＵ５６は、・・・普通図柄通常処理において、・・・普通図柄当り判定用乱数の値と・・・普通図柄当り決定テーブルとを用いて、当りとするか否か（普通図柄の停止図柄を当り図柄とするか否か）を決定する」と記載されていることから、引用文献１には、
遊技球がゲート３２を通過しゲートスイッチ３２ａで検出されると、普通図柄表示器１０の表示の可変表示が開始され、普通図柄の停止図柄が当り図柄である場合に、遊技者にとって不利な状態から有利な状態（第２始動入賞口１４に遊技球が入賞可能な状態）に変化するように、普通図柄当り判定用乱数の値と普通図柄当り決定テーブルとを用いて、当りとするか否か（普通図柄の停止図柄を当り図柄とするか否か）を決定する普通図柄通常処理を実行するＣＰＵ５６
（ｂ）上記【０１８９】には、「ＣＰＵ５６は、・・・普通図柄通常処理において、・・・当りとするか否か（普通図柄の停止図柄を当り図柄とするか否か）を決定する」と記載され、上記【０１９３】には、「普通図柄表示制御処理で普通図柄の可変表示（変動）を実行する」と記載され、上記【００５９】には、「普通図柄表示器１０の表示の可変表示」と記載されていることから、引用文献１には、
ＣＰＵ５６が、普通図柄通常処理において、当りとするか否か（普通図柄の停止図柄を当り図柄とするか否か）を決定し、普通図柄表示制御処理を実行した場合に、普通図柄の可変表示（変動）を行う普通図柄表示器１０
（ｃ）上記【０１８９】には、「ＣＰＵ５６は、・・・普通図柄通常処理において、・・・当りとするか否か（普通図柄の停止図柄を当り図柄とするか否か）を決定する」と記載され、上記【００５９】には「普通図柄表示器１０における・・・停止図柄が当り図柄である場合に、遊技者にとって不利な状態から有利な状態（第２始動入賞口１４に遊技球が入賞可能な状態）に変化する」と記載され、上記【０１８３】には、「普通図柄停止時処理・・・：ＣＰＵ５６は、・・・可変入賞球装置（普通電動役物）１５を開放状態にする」と記載されていることから、引用文献１には、
普通図柄通常処理において、当りとするか否か（普通図柄の停止図柄を当り図柄とするか否か）を決定し、普通図柄表示器１０における停止図柄が当り図柄である場合に、遊技者にとって不利な状態から有利な状態（第２始動入賞口１４に遊技球が入賞可能な状態）に変化させるため可変入賞球装置（普通電動役物）１５を開放状態にする普通図柄停止時処理を実行するＣＰＵ５６
（ｄ）上記【００６１】には、「遊技球が第１始動入賞口１３に入り第１始動口スイッチ１３ａで検出されると」と記載され、上記【００６２】には、「遊技球が第２始動入賞口１４に入り第２始動口スイッチ１４ａで検出されると」と記載され、上記【０２３４】には、「特別図柄通常処理において、ＣＰＵ５６は」と記載され、上記【０２４３】には、「ＣＰＵ５６は、第１始動口スイッチ通過処理・・・や第２始動口スイッチ通過処理・・・で抽出し・・・格納した大当り判定用乱数を読み出し」と記載され、上記【０１２８】には、「ＣＰＵ５６は、・・・大当り判定用乱数値が・・・大当り判定値に一致すると、特別図柄に関して大当りにすることに決定する。・・・大当り判定用乱数値が・・・小当り判定値に一致すると、特別図柄に関して小当りにすることに決定する。・・・大当りにするか否か決定するということは、大当り遊技状態に移行させるか否か決定するということである・・・小当りにするか否か決定するということは、小当り遊技状態に移行させるか否か決定するということである」と記載されている。
　してみると、引用文献１には、
遊技球が第１始動入賞口１３に入り第１始動口スイッチ１３ａで検出されると、又は、遊技球が第２始動入賞口１４に入り第２始動口スイッチ１４ａで検出されると、第１始動口スイッチ通過処理や第２始動口スイッチ通過処理で大当り判定用乱数を抽出して格納し、特別図柄通常処理において、大当り判定用乱数を読み出し、大当り判定用乱数値が大当り判定値に一致すると、特別図柄に関して大当りにし、大当り遊技状態に移行させることに決定し、大当り判定用乱数値が小当り判定値に一致すると、特別図柄に関して小当りにし、小当り遊技状態に移行させることに決定するＣＰＵ５６
（ｅ）上記【０１２８】には、「ＣＰＵ５６は、・・・特別図柄に関して大当りにすることに決定する。・・・特別図柄に関して小当りにすることに決定する。・・・大当りにするか否か決定するということは、・・・第１特別図柄表示器８ａまたは第２特別図柄表示器８ｂにおける停止図柄を大当り図柄にするか否か決定するということでもある。・・・小当りにするか否か決定するということは、・・・第１特別図柄表示器８ａまたは第２特別図柄表示器８ｂにおける停止図柄を小当り図柄にするか否か決定するということでもある」と記載され、上記【０２５４】には、「変動パターン設定処理において、ＣＰＵ５６は、大当りフラグがセットされているか否か確認する」、上記【０２５５】には、「小当りフラグがセットされているか否かを確認する」と記載され、上記【０２０４】には、「変動パターンを決定し、その変動パターンにおける変動時間（可変表示時間：可変表示を開始してから表示結果を導出表示（停止表示）するまでの時間）を特別図柄の可変表示の変動時間とすることに決定する」と記載され、上記【００３１】には、「可変表示時間（変動時間）が経過すると表示結果（停止図柄）を導出表示する」と記載されていることから、引用文献１には、
ＣＰＵ５６が、特別図柄に関して大当りにすること又は小当たりにすることを決定し、つまり、停止図柄を大当り図柄にすること又は小当り図柄にすることを決定し、変動パターン設定処理において、大当りフラグがセットされているか小当りフラグがセットされているかを確認し、変動パターンを決定し、その変動パターンにおける変動時間（可変表示時間：可変表示を開始してから表示結果を導出表示（停止表示）するまでの時間）を特別図柄の可変表示の変動時間とすることに決定したことに基づき、可変表示時間（変動時間）が経過すると表示結果（停止図柄）を導出表示する第１特別図柄表示器８ａまたは第２特別図柄表示器８ｂ
（ｆ）上記【０２５１】には、「ＣＰＵ５６は、・・・大当り種別の決定結果に応じて、大当り図柄・・・を特別図柄の停止図柄に決定する。・・・小当り図柄・・・を特別図柄の停止図柄に決定する」と記載され、上記【０１２８】には、「ＣＰＵ５６は、・・・大当り遊技状態に移行させるか否か決定するということであるが、第１特別図柄表示器８ａまたは第２特別図柄表示器８ｂにおける停止図柄を大当り図柄にするか否か決定するということでもある。・・・小当り遊技状態に移行させるか否か決定するということであるが、第１特別図柄表示器８ａまたは第２特別図柄表示器８ｂにおける停止図柄を小当り図柄にするか否か決定するということでもある」と記載され、上記【００４８】には、「第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）」と記載され、上記【００５２】には、「大当り遊技中に、第１大入賞口が開放状態に制御される。また、小当り遊技状態中、・・・大当たり遊技中に、第２大入賞口が開放状態に制御される」と記載されていることから、引用文献１には、
大当り種別の決定結果に応じて、大当り図柄を特別図柄の停止図柄に決定し又は小当り図柄を特別図柄の停止図柄に決定し、第１特別図柄表示器８ａ又は第２特別図柄表示器８ｂにおける停止図柄として大当り図柄又は小当り図柄が導出表示されたとき、第１大入賞口又は第２大入賞口が開放状態に制御される大当り遊技又は小当り遊技を生起させるＣＰＵ５６
（ｇ）上記【００１７】には、「パチンコ遊技機１」と記載されている。
（ｈ）（ｉ）（ｍ）上記【図４２】、【図４４】には、報知用演出として、演出エリア９Ｆにおいて図柄が変動するような演出が表示され（【図４２】（Ｄ）、【図４４】（Ｄ））、その後、飾り図柄の変動中である、結果報知演出の冒頭に（【図４２】（Ｅ）、【図４４】（Ｅ））、演出エリア９Ｆにおいて、可変入賞球装置１５が遊技球が進入しやすい状態に制御されることを示唆する画像９ｃ又はスーパーリーチになることを示唆する画像（大当りの期待度が高いことを報知するための画像）９ｉが停止表示されることが図示されている。
　また、上記【００５０】には、「普通図柄の表示結果を示唆するような演出や特別図柄の・・・変動パターンの種類を示唆するような演出が行われる演出エリア９Ｆ」と記載されており、上記【００５９】には、「可変入賞球装置１５の状態は、普通図柄の停止図柄が当り図柄である場合に、遊技者にとって不利な状態から有利な状態（第２始動入賞口１４に遊技球が入賞可能な状態）に変化する」と記載されている。
　してみると、引用文献１には、
所定演出に含まれる報知用演出及び結果報知演出において、報知用演出として、図柄が変動するような演出を表示し、その後、飾り図柄の変動中である、結果報知演出の冒頭に、普通図柄の表示結果を示唆する画像や特別図柄の変動パターンの種類を示唆する画像を停止表示する演出エリア９Ｆ
（ｊ）上記【００５０】には、「演出表示装置９の表示画面には、普通図柄の表示結果を示唆するような演出や特別図柄の・・・変動パターンの種類を示唆するような演出が行われる演出エリア９Ｆ」と記載され、上記【０３６３】には、「演出制御用ＣＰＵ１０１は、普通図柄変動開始指定（はずれ）コマンド受信フラグがセットされている場合には、所定演出決定テーブルにおける「普通図柄はずれ」に関する判定値を使用し、普通図柄変動開始指定（当り）コマンド受信フラグがセットされている場合には、所定演出決定テーブルにおける「普通図柄当り」に関する判定値を使用する」と記載され、上記【０３８９】には、「演出制御用ＣＰＵ１０１は、・・・所定演出決定テーブル（ここでは、「普通図柄はずれ」および「普通図柄当り」は除外される。）を使用する」と記載され、上記【図４２】、【図４４】には、単数の演出エリア９Ｆが設けられることが図示されていることから、引用文献１には、
演出制御用ＣＰＵ１０１が、単数の演出エリア９Ｆにおいて、普通図柄の表示結果を示唆するような演出を、普通図柄変動開始指定（はずれ）コマンド受信フラグがセットされている場合には、所定演出決定テーブルにおける「普通図柄はずれ」に関する判定値を使用し、普通図柄変動開始指定（当り）コマンド受信フラグがセットされている場合には、所定演出決定テーブルにおける「普通図柄当り」に関する判定値を使用することにより決定し、また、特別図柄の変動パターンの種類を示唆するような演出を、「普通図柄はずれ」および「普通図柄当り」が除外された所定演出決定テーブルを使用して決定すること
（ｉ）（ｋ）（ｍ）上記【００５０】には、「普通図柄の表示結果を示唆するような演出・・・が行われる演出エリア９Ｆ」と記載され、上記【０３６３】には、「演出制御用ＣＰＵ１０１は、普通図柄変動開始指定（はずれ）コマンド受信フラグがセットされている場合には、所定演出決定テーブルにおける「普通図柄はずれ」に関する判定値を使用し、普通図柄変動開始指定（当り）コマンド受信フラグがセットされている場合には、所定演出決定テーブルにおける「普通図柄当り」に関する判定値を使用する」と記載され、上記【図４８】には、「普通図柄はずれ」に対応する報知内容として「はずれ（×）」が表示されることが図示され、「普通図柄当り」に対応する報知内容として「当り（○）」が表示されることが図示されていることから、引用文献１には、
演出エリア９Ｆにおいて普通図柄の表示結果を示唆するような演出が行われる場合に、演出制御用ＣＰＵ１０１により、普通図柄変動開始指定（はずれ）コマンド受信フラグがセットされている場合には、所定演出決定テーブルにおける「普通図柄はずれ」に関する判定値を使用し、普通図柄変動開始指定（当り）コマンド受信フラグがセットされている場合には、所定演出決定テーブルにおける「普通図柄当り」に関する判定値を使用し、「普通図柄はずれ」に対応する報知内容として「はずれ（×）」が、「普通図柄当り」に対応する報知内容として「当り（○）」が表示される
（ｉ）（ｌ）（ｍ）上記【０１１６】には、「可変表示結果が「はずれ」であり飾り図柄の可変表示態様が「リーチ」である場合に対応した変動パターンとして、・・・スーパーＰＡ３−１〜スーパーＰＡ３−２、スーパーＰＢ３−１〜スーパーＰＢ３−２の変動パターンが用意されている」と記載され、上記【０１１８】には、「特別図柄の可変表示結果が大当り図柄または小当り図柄になる場合に対応した変動パターンとして、・・・スーパーＰＡ３−３〜スーパーＰＡ３−４、スーパーＰＢ３−３〜スーパーＰＢ３−４・・・の変動パターンが用意されている」と記載され、上記【００５０】には、「特別図柄の・・・変動パターンの種類を示唆するような演出が行われる演出エリア９Ｆ」と記載され、上記【０３９０】には、「演出制御用ＣＰＵ１０１は、・・・飾り図柄の変動パターンがスーパーリーチの変動パターン（擬似連演出を伴わない）である場合、および、その他の場合の各々に応じて、所定演出を実行するか否か決定する」と記載され、上記【０３４３】には、「演出エリア９Ｆにおいて、スーパーリーチになることを示唆する画像（大当りの期待度が高いことを報知するための画像）９ｉが停止表示される」と記載され、上記【０４７４】には、「大当りの期待度が高いことを報知する所定演出（例えば、「報知内容」を図４４に例示されたような「激熱」にする。）」と記載され、上記【図４４】（Ｅ）には、演出エリア９Ｆに「激熱」の文字を表示することが図示され、上記【図４８】には、「スーパーリーチ」に対応する報知内容として「期待度大」が表示されることが図示され、「その他」に対応する報知内容として「はずれ（×）」が表示されることが図示されていることから、引用文献１には、
演出エリア９Ｆにおいて特別図柄の変動パターンの種類を示唆するような演出として、演出制御用ＣＰＵ１０１により、スーパーリーチの変動パターンを示唆するような演出が行われる場合に、大当りの期待度が高いことを報知する報知内容として「激熱」の文字を表示し、「その他」に対応する報知内容として「はずれ（×）」が表示されること
（ｎ）上記【００１７】には、「パチンコ遊技機１」と記載されている。
　以上（ア）〜（ナ）の記載事項、図示内容（ニ）〜（ネ）及び上記（ａ）〜（ｎ）の認定事項を総合すれば、引用文献１には、以下の発明（以下「引用発明」という。）が記載されている（ａ〜ｎは、引用発明の構成を分説するため当審で付した。）。
「ａ　遊技球がゲート３２を通過しゲートスイッチ３２ａで検出されると、普通図柄表示器１０の表示の可変表示が開始され、普通図柄の停止図柄が当り図柄である場合に、遊技者にとって不利な状態から有利な状態（第２始動入賞口１４に遊技球が入賞可能な状態）に変化するように、普通図柄当り判定用乱数の値と普通図柄当り決定テーブルとを用いて、当りとするか否か（普通図柄の停止図柄を当り図柄とするか否か）を決定する普通図柄通常処理を実行するＣＰＵ５６と、
ｂ　ＣＰＵ５６が、普通図柄通常処理において、当りとするか否か（普通図柄の停止図柄を当り図柄とするか否か）を決定し、普通図柄表示制御処理を実行した場合に、普通図柄の可変表示（変動）を行う普通図柄表示器１０と、
ｃ　普通図柄通常処理において、当りとするか否か（普通図柄の停止図柄を当り図柄とするか否か）を決定し、普通図柄表示器１０における停止図柄が当り図柄である場合に、遊技者にとって不利な状態から有利な状態（第２始動入賞口１４に遊技球が入賞可能な状態）に変化させるため可変入賞球装置（普通電動役物）１５を開放状態にする普通図柄停止時処理を実行するＣＰＵ５６と、
ｄ　遊技球が第１始動入賞口１３に入り第１始動口スイッチ１３ａで検出されると、又は、遊技球が第２始動入賞口１４に入り第２始動口スイッチ１４ａで検出されると、第１始動口スイッチ通過処理や第２始動口スイッチ通過処理で大当り判定用乱数を抽出して格納し、特別図柄通常処理において、大当り判定用乱数を読み出し、大当り判定用乱数値が大当り判定値に一致すると、特別図柄に関して大当りにし、大当り遊技状態に移行させることに決定し、大当り判定用乱数値が小当り判定値に一致すると、特別図柄に関して小当りにし、小当り遊技状態に移行させることに決定するＣＰＵ５６と、
ｅ　ＣＰＵ５６が、特別図柄に関して大当りにすること又は小当たりにすることを決定し、つまり、停止図柄を大当り図柄にすること又は小当り図柄にすることを決定し、変動パターン設定処理において、大当りフラグがセットされているか小当りフラグがセットされているかを確認し、変動パターンを決定し、その変動パターンにおける変動時間（可変表示時間：可変表示を開始してから表示結果を導出表示（停止表示）するまでの時間）を特別図柄の可変表示の変動時間とすることに決定したことに基づき、可変表示時間（変動時間）が経過すると表示結果（停止図柄）を導出表示する第１特別図柄表示器８ａ又は第２特別図柄表示器８ｂと、
ｆ　大当り種別の決定結果に応じて、大当り図柄を特別図柄の停止図柄に決定し又は小当り図柄を特別図柄の停止図柄に決定し、第１特別図柄表示器８ａ又は第２特別図柄表示器８ｂにおける停止図柄として大当り図柄又は小当り図柄が導出表示されたとき、第１大入賞口又は第２大入賞口が開放状態に制御される大当り遊技又は小当り遊技を生起させるＣＰＵ５６と
ｇ　を備えたパチンコ遊技機１において、
ｈ，ｉ，ｍ　所定演出に含まれる報知用演出及び結果報知演出において、報知用演出として、図柄が変動するような演出を表示し、その後、飾り図柄の変動中である、結果報知演出の冒頭に、普通図柄の表示結果を示唆する画像や特別図柄の変動パターンの種類を示唆する画像を停止表示する演出エリア９Ｆを備え、
ｊ　演出制御用ＣＰＵ１０１が、単数の演出エリア９Ｆにおいて、普通図柄の表示結果を示唆するような演出を、普通図柄変動開始指定（はずれ）コマンド受信フラグがセットされている場合には、所定演出決定テーブルにおける「普通図柄はずれ」に関する判定値を使用し、普通図柄変動開始指定（当り）コマンド受信フラグがセットされている場合には、所定演出決定テーブルにおける「普通図柄当り」に関する判定値を使用することにより決定し、また、特別図柄の変動パターンの種類を示唆するような演出を、「普通図柄はずれ」および「普通図柄当り」が除外された所定演出決定テーブルを使用して決定し、
ｉ，ｋ，ｍ　演出エリア９Ｆにおいて普通図柄の表示結果を示唆するような演出が行われる場合に、演出制御用ＣＰＵ１０１により、普通図柄変動開始指定（はずれ）コマンド受信フラグがセットされている場合には、所定演出決定テーブルにおける「普通図柄はずれ」に関する判定値を使用し、普通図柄変動開始指定（当り）コマンド受信フラグがセットされている場合には、所定演出決定テーブルにおける「普通図柄当り」に関する判定値を使用し、「普通図柄はずれ」に対応する報知内容として「はずれ（×）」が、「普通図柄当り」に対応する報知内容として「当り（○）」が表示され、
ｉ，ｌ，ｍ　演出エリア９Ｆにおいて特別図柄の変動パターンの種類を示唆するような演出として、演出制御用ＣＰＵ１０１により、スーパーリーチの変動パターンを示唆するような演出が行われる場合に、大当りの期待度が高いことを報知する報知内容として「激熱」の文字を表示し、「その他」に対応する報知内容として「はずれ（×）」が表示される
ｎ　パチンコ遊技機１。」
５　対比
　本願補正発明と引用発明とを対比する。なお、見出し（ａ）〜（ｎ）は、本願補正発明の特定事項Ａ〜Ｎ、引用発明の特定事項ａ〜ｎに対応させている。
（ａ）引用発明の「有利な状態（第２始動入賞口１４に遊技球が入賞可能な状態）」は、本願発明の「第１利益状態」に相当し、引用発明の「普通図柄当り判定用乱数の値と普通図柄当り決定テーブルとを用いて、当りとするか否か（普通図柄の停止図柄を当り図柄とするか否か）を決定する」ことは、本願発明の「第１抽選」に相当する。また、引用発明の「遊技球がゲート３２を通過しゲートスイッチ３２ａで検出される」ことは、本願発明の「第１図柄始動条件」に相当する。
　してみると、引用発明の「遊技球がゲート３２を通過しゲートスイッチ３２ａで検出されると、普通図柄表示器１０の表示の可変表示が開始され、普通図柄の停止図柄が当り図柄である場合に、遊技者にとって不利な状態から有利な状態（第２始動入賞口１４に遊技球が入賞可能な状態）に変化するように、普通図柄当り判定用乱数の値と普通図柄当り決定テーブルとを用いて、当りとするか否か（普通図柄の停止図柄を当り図柄とするか否か）を決定する普通図柄通常処理を実行するＣＰＵ５６」は、本願発明の「第１利益状態を発生させるか否かの第１抽選を第１図柄始動条件が成立することに基づいて行う第１抽選手段」に相当する。
（ｂ）引用発明の「普通図柄通常処理において、当りとするか否か（普通図柄の停止図柄を当り図柄とするか否か）を決定し」たことは、本願発明の「第１抽選の結果」に相当し、引用発明の「普通図柄の可変表示（変動）を行う」ことは、本願発明の「第１図柄を変動表示する」ことに相当する。
　してみると、引用発明の「ＣＰＵ５６が、普通図柄通常処理において、当りとするか否か（普通図柄の停止図柄を当り図柄とするか否か）を決定し、普通図柄表示制御処理を実行した場合に、普通図柄の可変表示（変動）を行う普通図柄表示器１０」は、本願発明の「前記第１抽選の結果に基づいて第１図柄を変動表示する第１図柄表示手段」に相当する。
（ｃ）引用発明の「普通図柄通常処理において、当りとするか否か（普通図柄の停止図柄を当り図柄とするか否か）を決定し、普通図柄表示器１０における停止図柄が当り図柄である」ことは、本願発明の「第１抽選で当選すること」に相当する。また、引用発明の「普通図柄表示器１０における停止図柄」、「有利な状態（第２始動入賞口１４に遊技球が入賞可能な状態）」は、それぞれ、本願発明の「第１図柄表示手段の変動後の停止図柄」、「第１利益状態」に相当する。
　してみると、引用発明の「普通図柄通常処理において、当りとするか否か（普通図柄の停止図柄を当り図柄とするか否か）を決定し、普通図柄表示器１０における停止図柄が当り図柄である場合に、遊技者にとって不利な状態から有利な状態（第２始動入賞口１４に遊技球が入賞可能な状態）に変化させるため可変入賞球装置（普通電動役物）１５を開放状態にする普通図柄停止時処理を実行するＣＰＵ５６」は、本願発明の「前記第１抽選で当選することに基づいて前記第１図柄表示手段の変動後の停止図柄が第１特定態様となった場合に前記第１利益状態を発生させる第１利益状態発生手段」に相当する。
（ｄ）引用発明の「大当り遊技状態」及び「小当り遊技状態」は、本願発明の「第２利益状態」に相当し、引用発明の「第１始動口スイッチ通過処理や第２始動口スイッチ通過処理で大当り判定用乱数を抽出して格納し、特別図柄通常処理において、大当り判定用乱数を読み出し、大当り判定用乱数値が大当り判定値に一致すると、特別図柄に関して大当りにし、」「大当り判定用乱数値が小当り判定値に一致すると、特別図柄に関して小当りに」することは、本願発明の「第２抽選」に相当する。また、引用発明の遊技球が第１始動入賞口１３に入り第１始動口スイッチ１３ａで検出される」「又は、遊技球が第２始動入賞口１４に入り第２始動口スイッチ１４ａで検出される」ことは、本願発明の「第２図柄始動条件」に相当する。
　してみると、引用発明の「遊技球が第１始動入賞口１３に入り第１始動口スイッチ１３ａで検出されると、又は、遊技球が第２始動入賞口１４に入り第２始動口スイッチ１４ａで検出されると、第１始動口スイッチ通過処理や第２始動口スイッチ通過処理で大当り判定用乱数を抽出して格納し、特別図柄通常処理において、大当り判定用乱数を読み出し、大当り判定用乱数値が大当り判定値に一致すると、特別図柄に関して大当りにし、大当り遊技状態に移行させることに決定し、大当り判定用乱数値が小当り判定値に一致すると、特別図柄に関して小当りにし、小当り遊技状態に移行させることに決定するＣＰＵ５６」は、本願発明の「第２利益状態を発生させるか否かの第２抽選を第２図柄始動条件が成立することに基づいて行う第２抽選手段」に相当する。
（ｅ）引用発明の「特別図柄に関して大当りにすること又は小当たりにすることを決定し、つまり、停止図柄を大当り図柄にすること又は小当り図柄にすることを決定」したことは、本願発明の「第２抽選の結果」に相当し、引用発明の「特別図柄の可変表示」は、本願発明の「第２図柄を変動表示する」ことに相当する。
　してみると、引用発明の「ＣＰＵ５６が、特別図柄に関して大当りにすること又は小当たりにすることを決定し、つまり、停止図柄を大当り図柄にすること又は小当り図柄にすることを決定し、変動パターン設定処理において、大当りフラグがセットされているか小当りフラグがセットされているかを確認し、変動パターンを決定し、その変動パターンにおける変動時間（可変表示時間：可変表示を開始してから表示結果を導出表示（停止表示）するまでの時間）を特別図柄の可変表示の変動時間とすることに決定したことに基づき、可変表示時間（変動時間）が経過すると表示結果（停止図柄）を導出表示する第１特別図柄表示器８ａ又は第２特別図柄表示器８ｂ」は、本願発明の「前記第２抽選の結果に基づいて第２図柄を変動表示する第２図柄表示手段」に相当する。
（ｆ）引用発明の「大当り種別の決定結果に応じて、大当り図柄を特別図柄の停止図柄に決定し又は小当り図柄を特別図柄の停止図柄に決定」することは、本願発明の「第２抽選で当選すること」に相当し、引用発明の「第１特別図柄表示器８ａ又は第２特別図柄表示器８ｂにおける停止図柄として大当り図柄又は小当り図柄が導出表示されたとき」は、本願発明の「第２図柄表示手段の変動後の停止図柄が第２特定態様となった場合」に相当する。また、引用発明の「第１大入賞口又は第２大入賞口が開放状態に制御される大当り遊技又は小当り遊技」は、本願発明の「第２利益状態」に相当する。
　してみると、引用発明の「大当り種別の決定結果に応じて、大当り図柄を特別図柄の停止図柄に決定し又は小当り図柄を特別図柄の停止図柄に決定し、第１特別図柄表示器８ａ又は第２特別図柄表示器８ｂにおける停止図柄として大当り図柄又は小当り図柄が導出表示されたとき、第１大入賞口又は第２大入賞口が開放状態に制御される大当り遊技又は小当り遊技を生起させるＣＰＵ５６」は、本願発明の「前記第２抽選で当選することに基づいて前記第２図柄表示手段の変動後の停止図柄が第２特定態様となった場合に前記第２利益状態を発生させる第２利益状態発生手段」に相当する。
（ｇ）引用発明の「パチンコ遊技機１」は、本願発明の「遊技機」に相当する。
（ｈ）引用発明の「報知用演出として、図柄が変動するような演出を表示し、その後、飾り図柄の変動中である、結果報知演出の冒頭に、普通図柄の表示結果を示唆する画像や特別図柄の変動パターンの種類を示唆する画像を停止表示する」ことは、本願発明の「所定の予告演出態様を表示する」ことに相当する。
　してみると、引用発明の「所定演出に含まれる報知用演出及び結果報知演出において、報知用演出として、図柄が変動するような演出を表示し、その後、飾り図柄の変動中である、結果報知演出の冒頭に、普通図柄の表示結果を示唆する画像や特別図柄の変動パターンの種類を示唆する画像を停止表示する演出エリア９Ｆ」は、本願発明の「所定の予告演出態様を表示する予告演出表示手段」に相当する。
（ｉ）引用発明の「演出エリア９Ｆにおいて普通図柄の表示結果を示唆するような演出」は、普通図柄変動開始指定（はずれ）コマンド受信フラグがセットされているか、普通図柄変動開始指定（当り）コマンド受信フラグがセットされているかに応じて報知内容が決定されることから、普通図柄がはずれであるのか当りであるのかを決定した結果に基づく演出であるといえる。
　また、演出エリア９Ｆにおいて「はずれ（×）」及び「当り（○）」が、【図４２】（Ｅ）の時点に該当する結果報知演出の冒頭に、演出エリア９Ｆに停止表示されることは、飾り図柄の変動中に行われており、普通図柄に関して当りとするか否かを決定した結果に基づくものであるのか、特別図柄に関して当りとするか否かを決定した結果に基づくものであるのかは報知されていないものといえる。
　してみると、引用発明の「演出エリア９Ｆにおいて普通図柄の表示結果を示唆するような演出」として、「報知用演出として、図柄が変動するような演出を表示し、その後、飾り図柄の変動中である、結果報知演出の冒頭に、普通図柄の表示結果を示唆する画像」「を停止表示する」演出を含むことは、本願発明の「前記予告演出表示手段による予告演出は、前記第１抽選の結果に基づく演出であって前記第１抽選の結果に基づくものである旨を報知することなく実行する第１予告演出」「を含」むことに相当する。
　引用発明の「演出エリア９Ｆにおいて特別図柄の変動パターンの種類を示唆するような演出」は、「スーパーリーチの変動パターンを示唆するような演出が行われる場合に、大当りの期待度が高いことを報知する報知内容として「激熱」の文字を表示し、「その他」に対応する報知内容として「はずれ（×）」が決定される」ものであり、特別図柄の可変表示結果が大当り図柄又は小当り図柄であるのかを決定し、変動パターンを決定した結果に基づく演出である。
　また、報知内容として「激熱」及び「はずれ（×）」が、【図４４】（Ｅ）の時点に該当する結果報知演出の冒頭に、演出エリア９Ｆに停止表示することは、飾り図柄の変動中に行われており、普通図柄に関して当りとするか否かを決定した結果に基づくものであるのか、特別図柄に関して大当りにすること又は小当たりにすることを決定した結果に基づくものであるのかは報知されていないものといえる。
　してみると、引用発明の「演出エリア９Ｆにおいて特別図柄の変動パターンの種類を示唆するような演出」として、「報知用演出として、図柄が変動するような演出を表示し、その後、飾り図柄の変動中である、結果報知演出の冒頭に、」「特別図柄の変動パターンの種類を示唆する画像を停止表示する」演出を含むことは、本願発明の「前記第２抽選の結果に基づく演出であって前記第２抽選の結果に基づくものである旨を報知することなく実行する第２予告演出とを含」むことに相当する。
（ｊ）引用発明の演出エリア９Ｆは単数のみ設けられるものである。また、普通図柄の表示結果を示唆するような演出を普通図柄変動開始指定（はずれ）コマンド受信フラグがセットされているか普通図柄変動開始指定（当り）コマンド受信フラグがセットされているかに応じて実行するものであるとともに、特別図柄の変動パターンの種類を示唆するような演出を、「普通図柄はずれ」および「普通図柄当り」が除外された所定演出決定テーブルを使用して決定するものである。よって、引用発明は、単数の演出エリア９Ｆにおいて、普通図柄の表示結果を示唆するような演出と特別図柄の表示結果を示唆するような演出を排他的に実行するものであるといえる。
　してみると、引用発明の「演出制御用ＣＰＵ１０１が、単数の演出エリア９Ｆにおいて、普通図柄の表示結果を示唆するような演出を、普通図柄変動開始指定（はずれ）コマンド受信フラグがセットされている場合には、所定演出決定テーブルにおける「普通図柄はずれ」に関する判定値を使用し、普通図柄変動開始指定（当り）コマンド受信フラグがセットされている場合には、所定演出決定テーブルにおける「普通図柄当り」に関する判定値を使用することにより決定し、また、特別図柄の変動パターンの種類を示唆するような演出を、「普通図柄はずれ」および「普通図柄当り」が除外された所定演出決定テーブルを使用して決定」することは、本願発明の「前記予告演出表示手段は、前記第１予告演出と前記第２予告演出とを排他的に実行可能であ」ることに相当する。
（ｋ）引用発明の「普通図柄の表示結果を示唆するような演出」は、本願発明の「前記第１予告演出の場合の前記予告演出態様」に相当する。また、引用発明の「「普通図柄はずれ」に対応する報知内容として「はずれ（×）」」が決定される演出及び「「普通図柄当り」に対応する報知内容として「当り（○）」が決定され」る演出は、本願発明の「複数種類の第１予告演出態様」に相当する。
　してみると、引用発明の「演出エリア９Ｆにおいて普通図柄の表示結果を示唆するような演出が行われる場合に、演出制御用ＣＰＵ１０１により、普通図柄変動開始指定（はずれ）コマンド受信フラグがセットされている場合には、所定演出決定テーブルにおける「普通図柄はずれ」に関する判定値を使用し、普通図柄変動開始指定（当り）コマンド受信フラグがセットされている場合には、所定演出決定テーブルにおける「普通図柄当り」に関する判定値を使用し、「普通図柄はずれ」に対応する報知内容として「はずれ（×）」が、「普通図柄当り」に対応する報知内容として「当り（○）」が決定され」ることは、本願発明の「前記第１予告演出の場合の前記予告演出態様は複数種類の第１予告演出態様から選択」されることに相当する。
（ｌ）引用発明の「特別図柄の変動パターンの種類を示唆するような演出」は、本願発明の「前記第２予告演出の場合の前記予告演出態様」に相当する。また、引用発明の「スーパーリーチの変動パターンを示唆するような演出が行われる場合に、大当りの期待度が高いことを報知する報知内容として「激熱」の文字を表示」する演出及び「「その他」に対応する報知内容として「はずれ（×）」が表示される」演出は、本願発明の「複数種類の第２予告演出態様」に相当する。
　してみると、引用発明の「演出エリア９Ｆにおいて特別図柄の変動パターンの種類を示唆するような演出として、演出制御用ＣＰＵ１０１により、スーパーリーチの変動パターンを示唆するような演出が行われる場合に、大当りの期待度が高いことを報知する報知内容として「激熱」の文字を表示し、「その他」に対応する報知内容として「はずれ（×）」が表示される」ことは、本願発明の「前記第２予告演出の場合の前記予告演出態様は複数種類の第２予告演出態様から選択」されることに相当する。
（ｍ）引用発明の「演出エリア９Ｆにおいて普通図柄の表示結果を示唆するような演出」は、「普通図柄はずれ」に対応する報知内容として「はずれ（×）」が表示され」るものであり、「演出エリア９Ｆにおいて特別図柄の変動パターンの種類を示唆するような演出」も、「「その他」に対応する報知内容として「はずれ（×）」が表示され」るものである。
　そして、引用発明は「報知用演出として、図柄が変動するような演出を表示し、その後、飾り図柄の変動中である、結果報知演出の冒頭に、普通図柄の表示結果を示唆する画像や特別図柄の変動パターンの種類を示唆する画像を停止表示する」ものであるから、「演出エリア９Ｆにおいて普通図柄の表示結果を示唆するような演出」においても「演出エリア９Ｆにおいて特別図柄の変動パターンの種類を示唆するような演出」においても、「はずれ（×）」を表示する場合には、報知用演出として、図柄が変動するような演出を表示し、その後、飾り図柄の変動中である、結果報知演出の冒頭に、普通図柄の表示結果を示唆する画像又は特別図柄の変動パターンの種類を示唆する画像として「はずれ（×）」を停止表示するものであり、最終的に表示される態様を含めて共通であるといえる。
　してみると、引用発明の「演出エリア９Ｆにおいて普通図柄の表示結果を示唆するような演出」の「はずれ（×）」を報知内容とする演出と、「「演出エリア９Ｆにおいて特別図柄の変動パターンの種類を示唆するような演出」」の「はずれ（×）」を報知内容とする演出とが、最終的に表示される態様も含めて共通であることは、本願発明の「前記複数種類の第１予告演出態様のうちの特定第１予告演出態様と、前記複数種類の第２予告演出態様のうちの特定第２予告演出態様とが、最終的に表示される態様を含めて共通である」ことに相当する。
（ｎ）引用発明の「パチンコ遊技機１」は、本願発明の「遊技機」に相当し、引用発明と本願発明とは、遊技機の分野に関する発明である点で一致する。
　上記（ａ）〜（ｎ）によれば、本願発明と引用発明とは、
「Ａ　第１利益状態を発生させるか否かの第１抽選を第１図柄始動条件が成立することに基づいて行う第１抽選手段と、
Ｂ　前記第１抽選の結果に基づいて第１図柄を変動表示する第１図柄表示手段と、
Ｃ　前記第１抽選で当選することに基づいて前記第１図柄表示手段の変動後の停止図柄が第１特定態様となった場合に前記第１利益状態を発生させる第１利益状態発生手段と、
Ｄ　第２利益状態を発生させるか否かの第２抽選を第２図柄始動条件が成立することに基づいて行う第２抽選手段と、
Ｅ　前記第２抽選の結果に基づいて第２図柄を変動表示する第２図柄表示手段と、
Ｆ　前記第２抽選で当選することに基づいて前記第２図柄表示手段の変動後の停止図柄が第２特定態様となった場合に前記第２利益状態を発生させる第２利益状態発生手段と
Ｇ　を備えた遊技機において、
Ｈ　所定の予告演出態様を表示する予告演出表示手段を備え、
Ｉ　前記予告演出表示手段による予告演出は、前記第１抽選の結果に基づく演出であって前記第１抽選の結果に基づくものである旨を報知することなく実行する第１予告演出と、前記第２抽選の結果に基づく演出であって前記第２抽選の結果に基づくものである旨を報知することなく実行する第２予告演出とを含み、
Ｊ　前記予告演出表示手段は、前記第１予告演出と前記第２予告演出とを排他的に実行可能であり、
Ｋ　前記第１予告演出の場合の前記予告演出態様は複数種類の第１予告演出態様から選択し、
Ｌ　前記第２予告演出の場合の前記予告演出態様は複数種類の第２予告演出態様から選択し、
Ｍ　前記複数種類の第１予告演出態様のうちの特定第１予告演出態様と、前記複数種類の第２予告演出態様のうちの特定第２予告演出態様とが、最終的に表示される態様を含めて共通である
Ｎ　ことを特徴とする遊技機。」
である点で一致し、相違する点はない。
６　当審の判断
　よって、本願発明は、引用発明と同一であるので、特許法第２９条第１項第３号に該当し、特許を受けることができない。 
　なお、引用文献１には、演出エリア９Ｆにおいて普通図柄の表示結果を示唆するような演出として「はずれ（×）」を報知内容とする演出と、演出エリア９Ｆにおいて特別図柄の変動パターンの種類を示唆するような演出として「はずれ（×）」を報知内容とする演出とについて、具体的な画面遷移を明示していないが、仮に、この点に関連する相違点があるとしても、引用文献１の【図４２】（Ｄ）（Ｅ）、【図４４】（Ｄ）（Ｅ）等（【図４４】（Ｅ）は、飾り図柄の停止前である。）の記載を参考にして、「はずれ（×）」を報知内容とする演出においても、「普通図柄当り」に対応する報知内容として「当り（○）」を表示する演出や、「スーパーリーチ」に対応する報知内容として「激熱」を表示する演出と同様に、報知用演出として、図柄が変動するような演出を表示し、その後、結果報知演出の冒頭の普通図柄又は特別図柄の変動中に、普通図柄の表示結果を示唆する画像や特別図柄の変動パターンの種類を示唆する画像として「はずれ（×）」を停止表示する表示態様を採用することは、当業者が容易に発明をすることができたものであるので、特許法第２９条第２項の規定により特許を受けることができない。
（５）請求人の主張について
　請求人は、平成３１年３月１５日付け意見書において、本願発明の進歩性に関して、次のとおり主張している（下線部は当審で付した）。
「本願発明はこのような構成により、第１予告演出と第２予告演出の何れも実行可能なタイミングで予告演出が行われ且つその結果として特定第１予告演出態様（＝特定第２予告演出態様）が出現した場合、
遊技者はその演出結果が第１抽選と第２抽選との何れに基づくものであるかを判断することができないため、遊技者の期待感をより喚起することができ、予告演出の結果が第１抽選と第２抽選との何れに基づくものであるかが常に明らかである場合と比較して演出効果が向上する利点があります。
　２）一方、引用文献１の図４８は、複数種類の「所定演出」を実行するか否かを抽選により決定するための所定演出決定テーブルとなっております。また、引用文献１の「所定演出」とは、段落０３２８〜０３４３、図４１等に示すように、「予兆演出」、「開始演出」、「報知用演出」、「結果報知演出」で構成されており、その順に実行されるようになっております。そして、演出エリア９Ｆにおいて図柄が変動するような演出は、上記のうちの「報知用演出」に該当します（段落０３３５等）。また、「結果報知演出」では、
図４２（Ｆ）、図４３（Ｆ）に示すように、演出エリア９Ｆの近傍に「やったー　電チューを狙ってね！」の表示を行う等、報知用演出の結果を説明するための報知が行われるようになっております。
　このように、引用文献１に記載の発明では、「所定演出」における「報知用演出」、即ち演出エリア９Ｆにおいて行われる図柄変動演出の部分だけを見れば、第１予告演出（普通図柄はずれの所定演出）と第２予告演出（その他の所定演出）とで、最終的に表示される態様（はずれ（×））を含めて共通であるとも考えられます。しかしながら、引用文献１に記載の発明の場合、第１予告演出（普通図柄に関する抽選結果に基づくもの）であるか第２予告演出（特別図柄に関する抽選結果に基づくもの）であるかについて「結果報知演出」等において明示するようになっております。即ち引用文献１に記載の発明は、上記（３）ｉの構成を具備していない点で本願発明とは明らかに相違します。
　このような引用文献１に記載の発明の場合、「報知用演出」の結果は第１予告演出（普通図柄はずれの所定演出）と第２予告演出（その他の所定演出）とで共通であっても、その後の「結果報知演出」で第１予告演出と第２予告演出の何れであるかが明示されるため、遊技者の期待感を十分に喚起することができません。」
　しかしながら、引用文献１の【０３３５】の記載に基づけば、【図４２】（Ｆ）の演出は【図４２】（Ｅ）による示唆演出の後の報知演出とみるべきであり、上記５（ｉ）に記載したとおり、引用発明は、【図４２】（Ｅ）の時点に該当する、結果報知演出の冒頭において、普通図柄に関して当りとするか否かを決定した結果に基づくものであるのか、特別図柄に関して大当りにすること又は小当たりにすることを決定した結果に基づくものであるのかは報知するものではなく、そのような予告演出を含む点で本願発明と相違するものではない。
　また、請求人が主張する本願発明の効果も、引用発明における「所定演出によって遊技者の識別情報の表示結果に対する期待をより高めることによって遊技の興趣を向上させる（【０００９】）」との効果と同様のものである。
　したがって、請求人の主張を採用することはできない。
７　むすび
　以上のとおりであるから、本願発明は、特許法第２９条第１項第３号の規定により特許を受けることはできない。
　よって、結論のとおり審決する。